(57)【要約】【課題】  車載用ＴＶ受信装置において、受信電界強度が変動した際、モニター上に表示される画面に応じて受信電界強度の推移を予測判定することができるようにする。【解決手段】  車載用ＴＶ受信装置１０は、テレビ放送信号を受信して映像信号を画像としてディスプレイ１５に表示する。テレビ受信装置はテレビ放送信号についてその受信電界強度を検知する電界強度検知回路１６と、受信電界強度が予め規定された第１の電界強度閾値未満である際に受信電界強度に応じて段階的にディスプレイ上の画面を変化させる制御を行うＣＰＵ１７とを有している。【選択図】        図１
2007074227.tif 000002
【特許請求の範囲】
【請求項１】
移動体に搭載され、テレビ放送信号を受信して映像信号を画像として表示部に表示するテレビ受信装置において、
前記テレビ放送信号についてその受信電界強度を検知する電界強度検知手段と、
前記受信電界強度が予め規定された第１の電界強度閾値未満である際に前記受信電界強度に応じて段階的に前記表示部上の画面を変化させる画面変化手段とを有することを特徴とするテレビ受信装置。
【請求項２】
画面変化手段は、受信電界強度が第１の電界強度閾値未満である際受信電界強度に応じて表示部に表示する画像を動画とするか静止画とするかを決定する画像決定手段と、
前記受信電界強度が第１の電界強度閾値未満である際に前記動画又は前記静止画に予め定められた色を重ね合わせて前記表示部上の画面を変化させる色重ね合わせ手段とを有することを特徴とする請求項１記載のテレビ受信装置。
【請求項３】
画像決定手段によって表示部に表示する画像が動画として決定された受信電界強度以上である際に映像信号を一時的に記憶するメモリ手段を備え、
前記画像決定手段は、前記表示部に表示する画像を静止画と決定した際には前記メモリ手段に記憶された映像信号に応じた静止画が前記表示部に表示するようにしたことを特徴とする請求項２記載のテレビ受信装置。
【請求項４】
受信電界強度が第１の電界強度閾値よりも低い第２の電界強度閾値以下であると表示部に画像を表示することなく前記表示部上の画面を予め定められた単色画面とする単色画面表示手段を有することを特徴とする請求項２又は請求項３記載のテレビ受信装置。
【請求項５】
移動体の走行速度を検知する速度検知手段と、
該速度検知手段で検知された走行速度に基づいて第１の電界強度閾値を変更する電界強度変更手段とを有することを特徴とする請求項１から請求項４のうちのいずれか１項記載のテレビ受信装置。
【請求項６】
移動体の走行速度を検知する速度検知手段と、
該速度検知手段で検知された走行速度に基づいて第１及び第２の電界強度閾値を変更するとともに画像決定手段によって表示部に表示する画像が動画及び静止画と決定される受信電界強度を変更する電界強度変更手段とを有することを特徴とする請求項４記載のテレビ受信装置。
【発明の詳細な説明】
【技術分野】
【０００１】
この発明は、車両等の移動体に搭載されて、テレビ（ＴＶ）放送信号を受信するＴＶ受信装置に関し、特に、デジタルＴＶ放送信号を受信して、ノイズの影響を低減してモニターに映像を表示することのできるＴＶ受信装置に関するものである。
【背景技術】
【０００２】
一般に、車両等の移動体に搭載された車載用ＴＶ受信装置においては、ＴＶ放送信号を受信している際、移動体の移動に伴ってその受信電界強度が大きく変動することがあり、受信電界強度の変動によってテレビ放送信号を良好に受信できないという事態が生じ、例えば、受信電界強度が低下すると、ノイズが発生し、モニター上に表示される映像が極めて見づらくなってしまい、ユーザに不快感を与えてしまう（デジタルテレビ放送においては、受信電界が低下すると映像にブロック状の歪であるブロックノイズが生じる）。
【０００３】
このような不具合に対処するため、受信電界強度が強い際にフィールドメモリに映像信号を記憶して、受信電界強度が弱くなって画質が劣化すると、フィールドメモリから映像信号を読み出して静止画像を表示するようにしたものがあり、ここでは、受信電界強度を第１の基準電界強度と比較して、この比較結果に応じてフィールドメモリの書き込み開始・停止を設定し、受信電界強度を第１の基準電界強度よりも低い第２の基準電界強度と比較して、この比較結果に応じて動画表示・静止画表示の選択をするようにしたものがある（例えば、特許文献１参照）。
【０００４】
つまり、受信電界強度が第１の基準電界強度より強いと映像信号をモニターに動画表示するとともに、映像信号をフィールドメモリに記憶してフィールドメモリの内容を更新し、受信電界強度が第１の基準電界強度と第２の基準電界強度との間にある際には、映像信号をモニターに動画表示し、フィールドメモリの内容の更新を停止する。そして、受信電界強度が第２の基準電界強度よりも低くなると、フィールドメモリの内容更新を停止した状態で、フィールドメモリに記憶された映像信号をモニターに静止画表示する。
【０００５】
【特許文献１】特開昭６３−２７６３８６号公報（第２頁〜第３頁、第１図）
【発明の開示】
【発明が解決しようとする課題】
【０００６】
従来のＴＶ受信装置は以上のように構成されているので、つまり、受信電界強度が第１の基準電界強度よりも強い場合（映像信号が良好に受信できる場合）に、フィールドメモリに映像信号を記憶して、受信電界強度が第２の基準電界強度よりも低くなると、フィールドメモリに記憶された映像信号を静止画表示しているので、良好な状態で（ＳＮ比のよい静止画で）静止画表示を行えるものの、受信電界強度が低下すると（受信電界強度が第２の基準電界強度よりも低くなると）、突然動画表示から静止画表示に移行してしまい、ユーザにとっては受信電界強度の推移、つまり、車両走行中において受信電界強度が悪くなる状態に推移しているのか良くなる方向に推移しているのか判断できない。
【０００７】
その結果、受信電界強度が悪くなる状態に推移しているのであれば、一旦ＴＶ受信装置をオフするにも拘らず、ＴＶ受信装置をオン状態として動画が表示されるまで待つことになってしまう。いずれにしても、従来のＴＶ受信装置においては、モニター上に表示される動画及び静止画によって受信電界強度の推移を判断できないという課題があった。
【０００８】
この発明は上記のような課題を解決するためになされたもので、受信電界強度が変動した際、モニター上に表示される画面に応じて受信電界強度の推移を予測判定することのできるＴＶ受信装置を提供することを目的とする。
【課題を解決するための手段】
【０００９】
この発明に係るテレビ受信装置は、テレビ放送信号についてその受信電界強度を検知する電界強度検知手段と、受信電界強度が予め規定された第１の電界強度閾値未満である際に受信電界強度に応じて段階的に表示部上の画面を変化させる画面変化手段とを有するものである。
【発明の効果】
【００１０】
この発明によれば、受信電界強度が予め規定された第１の電界強度閾値未満である際に受信電界強度に応じて段階的に表示部上の画面を変化させるように構成したので、ユーザは表示部上の画面を目視すれば、画面の変化に応じて受信電界強度の推移を認識することができるという効果がある。
【発明を実施するための最良の形態】
【００１１】
実施の形態１．
図１はこの発明の実施の形態１におけるＴＶ受信装置を示すブロック図であり、図示のＴＶ受信装置１０は、車両等の移動体に搭載されており、例えば、地上デジタルＴＶ放送波（以下単にデジタル放送信号と呼ぶ）を受信する。地上デジタルＴＶ放送においては、一つの放送局（図示せず）からは一つのデジタルＴＶ放送波が送信されており、このデジタル放送信号はトランスポートストリーム（Ｔｒａｎｓｐｏｒｔ  Ｓｔｒｅａｍ：ＴＳ信号）と呼ばれ、一つのＴＳ信号には少なくとも一つの放送サービスが含まれており、各放送サービスにはパケット識別子（ＰＩＤ）が付与されている。
【００１２】
地上デジタルＴＶ放送では、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いており、ＴＳ信号には、デジタル映像信号（ビデオストリーム）、デジタル音声信号（オーディオストリーム）、及びサービス情報（Ｓｅｒｖｉｃｅ  Ｉｎｆｏｒｍａｔｉｏｎ：ＳＩ情報）が含まれ、このＳＩ情報には、例えば、送信チャンネル、放送局名、番組情報、及び放送対象地域等を示すデータが含まれている。
【００１３】
図１において、ＴＶ受信装置１０は、テレビチューナ１１、直交周波数分割多重（ＯＦＤＭ）デコーダ部１２、ＭＰＥＧ（Ｍｏｖｉｎｇ  Ｐｉｃｔｕｒｅ  Ｅｘｐｅｒｔｓ  Ｇｒｏｕｐ）デコーダ部１３、メモリ（メモリ手段）１４、ディスプレイ（モニター：表示部）１５、電界強度検出回路（電界強度検出手段）１６、及び中央演算処理装置（ＣＰＵ）１７を有しており、車両には車速度センサ１８及び車速判定回路１９が備えられ、後述するようにして車速判定回路１９で得られた車速信号（車速判定結果）がＣＰＵ１７に与えられる。なお、図１においては、ビデオストリームを表示するための経路のみが示され、オーディオストリームを出力するための経路を省略されている。
【００１４】
テレビチューナ１１で選局されたチャンネルの放送サービスに係るデジタル放送信号がアンテナ２０を介して受信され、テレビチューナ１１においてデジタル放送信号は中間周波信号（ＩＦ信号）にダウンコンバートされて、ＯＦＤＭデコード部１２に与えられる。ＯＦＤＭデコード部１２ではＩＦ信号を復調して（デコードして）、ＴＳ信号としてＭＰＥＧデコーダ部１３に与える。ＭＰＥＧデコーダ部１３ではＴＳ信号をデコードしてデジタル映像信号及びデジタル音声信号を得て、このデジタル映像信号はディスプレイ１５に動画像として表示される。また、デジタル映像信号はメモリ１４に一時的に保存される。
【００１５】
なお、図１にはおいては、デジタル映像信号はアナログ映像信号にＤ／Ａ変換された後ディスプレイ１５に与えられ、デジタル音声信号はアナログ音声信号にＤ／Ａ変換された後スピーカ（図示せず）に与えられる。
【００１６】
テレビチューナ１１においては、自動利得制御（ＡＧＣ制御）が行われており、ＡＧＣ制御の際に用いられるＡＧＣ制御電圧が電界強度検出回路１６に与えられる。このＡＧＣ制御電圧は受信電界強度に反比例（相関）しており、ＡＧＣ制御電圧のレベルに応じて電界強度検出回路１６は受信電界強度を検出して、ＣＰＵ１７に与える。そして、ＣＰＵ１７は受信電界強度に基づいて後述するようにしてＭＰＥＧデコーダ部１３を制御してディスプレイ１５に表示される画面を変化させる。
【００１７】
一方、車速センサ１８によって車両の速度が検知される。つまり、車速センサ１８は車両の速度に応じた車速パルスを車速判定回路１９に与え、車速判定回路１９は予め規定された単位時間当たりの車速パルスの数に基づいて車両の速度を判定し、車速判定結果（車速）としてＣＰＵ１７に与える。そして、ＣＰＵ１７は後述するようにして車速判定結果に応じてディスプレイ１５に表示される画面を変化させるタイミングを制御する。
【００１８】
次に動作について説明する。
図１及び図２を参照して、ＣＰＵ１７にはメモリ部１７ａが備えられており、メモリ部１７ａには、図３に示す車速判定−閾値設定テーブル及び図４に示す電界強度判定−映像出力制御テーブルが設定されている。図３の例では、車速判定として高速及び低速の判定が行われ、高速は、例えば、８０ｋｍ／ｈ以上であり、低速は８０ｋｍ／ｈ未満である。また、図４に示す例では、電界強度判定として、”超強”、”強”、”中”、及び”弱”が規定され、これら電界強度判定に対応付けて映像出力が設定されている。
【００１９】
いま、車両走行中において、ユーザが所望のチャンネル（ＣＨ）を選局したとすると、車速判定回路１９から与えられる車速判定結果に応じてＣＰＵ１７は高速であるか否かを判定し（ステップＳＴ１）、この判定結果に応じて車速判定−閾値設定テーブルを検索して、判定結果に対応した電界強度閾値設定を行う。つまり、車速判定結果が高速（８０ｋｍ／ｈ以上）であると、図３に示すように、ＣＰＵ１７は電界強度判定閾値として高速用閾値設定を行い（ステップＳＴ２）、車速判定結果が低速（８０ｋｍ／ｈ未満）であると、ＣＰＵ１７は電界強度判定閾値として低速用閾値設定を行う（ステップＳＴ３）。そして、高速用閾値設定及び低速用閾値設定ともに、第１〜第３の電界強度閾値を用いることになるが、高速用閾値設定及び低速用閾値設定では、後述するように、第１〜第３の電界強度閾値がそれぞれ異なっている。
【００２０】
車速判定結果が低速であると判定されると、ＣＰＵ１７は低速用閾値設定を行うことになり、低速用閾値設定を行った際には、例えば、次のようにして電界強度判定を行う。図５（ａ）及び（ｂ）を参照すると、ＣＰＵ１７は、例えば、第１の電界強度閾値＝−５０ｄＢｍ、第２の電界強度閾値＝−７５ｄＢｍ、第３の電界強度閾値＝−６０ｄＢｍとして、受信電界強度（ｄＢｍ）が第２の電界強度閾値である−７５ｄＢｍ以下である際には、電界強度判定を”弱”とし、受信電界強度が−７５ｄＢｍ〜−６０ｄＢｍ（−７５ｄＢｍを越え−６０ｄＢｍ以下）である際には、電界強度判定を”中”とする。また、ＣＰＵ１７は、受信電界強度が−６０ｄＢｍ〜−５０ｄＢｍ（−６０ｄＢｍを越え−５０ｄＢｍ未満）である際には、電界強度判定を”強”とし、受信電界強度が第１の受信電界強度閾値である−５０ｄＢｍ以上である際には、電界強度判定を”超強”とする。
【００２１】
なお、前述したように、受信電界強度はＡＧＣ制御電圧（Ｖ）に対応し、図示のように、受信電界強度−７５ｄＢｍ以下はＡＧＣ制御電圧２．２Ｖに対応し、受信電界強度−７５ｄＢｍ〜−６０ｄＢｍはＡＧＣ制御電圧２．２Ｖ〜２．０Ｖに対応する。そして、受信電界強度−６０ｄＢｍ〜−５０ｄＢｍはＡＧＣ制御電圧２．０Ｖ〜１．９Ｖに対応し、受信電界強度−５０ｄＢｍ以上はＡＧＣ制御電圧１．９Ｖ未満に対応する。
【００２２】
まず、ＣＰＵ１７は電界強度判定が”超強”であるか否かを判定して（ステップＳＴ４）、電界強度判定が”超強”であると、ＣＰＵ１７は電界強度判定−映像出力制御テーブルを参照して、映像出力が”動画”であることを知り、ＭＰＥＧデコーダ部１３を制御してメモリ１４にデジタル映像信号を保存する（メモリへ動画保存：ステップＳＴ５）。そして、ＭＰＥＧデコーダ部１３からの出力はディスプレイ１５に与えられる（動画出力：ステップＳＴ６）。
【００２３】
ステップＳＴ４において、電界強度判定が”超強”でないと、ＣＰＵ１７は電界強度判定が”強”であるか否かを判定する（ステップＳＴ７）。電界強度判定が”強”であると、ＣＰＵ１７は電界強度判定−映像出力制御テーブルを参照して、映像出力が”薄い色を重ねた動画”であることを知り、ＭＰＥＧデコーダ部１３を制御してメモリ１４にデジタル映像信号を保存する（ステップＳＴ８）。そして、ＣＰＵ１７はＭＰＥＧデコーダ部１３を制御してデジタル映像信号に、例えば、薄いブルーを重ね合わせて（ステップＳＴ９）、ＭＰＥＧデコーダ部１３からの出力をディスプレイ１５に与える（ステップＳＴ１０）。
【００２４】
ステップＳＴ７において、電界強度判定が”強”でないと、ＣＰＵ１７は電界強度判定が”中”であるか否かを判定する（ステップＳＴ１１）。電界強度判定が”中”であると、ＣＰＵ１７は電界強度判定−映像出力制御テーブルを参照して、映像出力が”濃い色を重ねた静止画”であることを知り、ＭＰＥＧデコーダ部１３を介してメモリ１４にデジタル映像信号が保存されているか否かを判定する（ステップＳＴ１２）。
【００２５】
そして、メモリ１４にデジタル映像信号が保存されていると、ＣＰＵ１７はＭＰＥＧデコーダ部１３を制御してメモリ１４からデジタル映像信号の１フレームを読み出して静止画とし（動画像から静止画像作製：ステップＳＴ１３）、この静止画像に、例えば、濃いブルーを重ね合わせて  （ステップＳＴ１４）、ＭＰＥＧデコーダ部１３からの出力をディスプレイ１５に与える（静止画出力：ステップＳＴ１５）。
【００２６】
一方、メモリ１４にデジタル映像信号が保存されていないと（テレビ受信装置で視聴を開始した後電界強度判定が”中”以下であれば、メモリ１４にはデジタル映像信号は保存されていない）、ＣＰＵ１７はＭＰＥＧデコーダ部１３を制御して単色画面（例えば、ブルーバック）をディスプレイ１５に出力する（ステップＳＴ１６）。
【００２７】
ステップＳＴ１１において、電界強度判定が”中”でないと、ＣＰＵ１７は電界強度判定が”弱”であると看做して、電界強度判定−映像出力制御テーブルを参照して、映像出力が”単色画像”であることを知り、ステップＳＴ１６において、ＣＰＵ１７はＭＰＥＧデコーダ部１３を制御してブルーバックをディスプレイ１５に出力する。
【００２８】
上述の説明から明らかなように、第３の電界強度閾値は、受信電界強度が第１の電界強度閾値未満である際にディスプレイ１５に表示する画像を動画として決定する際に用いられることになる。
【００２９】
車速判定結果が高速であると判定されると、前述したように、ＣＰＵ１７は高速用閾値設定を行うことになる。車両の速度が高速である際には、低速時に比べて十分な受信電界強度であってもブロックノイズが生じる可能性がある。このため、高速の際には、第１〜第３の電界強度閾値を低速時の第１〜第３の電界強度閾値よりも高くしてブロックノイズが生じ易い動画像を出力しないようにする。
【００３０】
図６（ａ）及び（ｂ）を参照すると、高速用閾値設定を行った際には、ＣＰＵ１７は、例えば、第１の電界強度閾値＝−４０ｄＢｍ、第２の電界強度閾値＝−６５ｄＢｍ、第３の電界強度閾値＝−５０ｄＢｍとして、受信電界強度が第２の受信電界強度−６５ｄＢｍ以下であると、電界強度判定を”弱”とし、受信電界強度が−６５ｄＢｍ〜−５０ｄＢｍである際には、電界強度判定を”中”とする。また、ＣＰＵ１７は、受信電界強度が−５０ｄＢｍ〜−４０ｄＢｍである際には、電界強度判定を”強”とし、受信電界強度が−４０ｄＢｍ以上である際には、電界強度判定を”超強”とする。
【００３１】
なお、受信電界強度はＡＧＣ制御電圧（Ｖ）に対応し、図示のように、受信電界強度−６５ｄＢｍ以下はＡＧＣ制御電圧２．１Ｖ以上に対応し、受信電界強度−６５ｄＢｍ〜−５０ｄＢｍはＡＧＣ制御電圧２．１Ｖ〜１．９Ｖに対応する。受信電界強度−５０ｄＢｍ〜−４０ｄＢｍはＡＧＣ制御電圧１．９Ｖ〜１．８Ｖに対応し、受信電界強度−４０ｄＢｍ以上はＡＧＣ制御電圧１．８Ｖ未満に対応する。そして、車速判定結果が高速と判定された際にも、前述のようにして、ステップＳＴ４〜ＳＴ１６が実行される。
【００３２】
このようにして、受信電界強度によってディスプレイ１５に表示する画像を変化させ、動画が表示する際においても受信電界強度に応じて画面に着色（例えば、薄い色を動画に重ねる）を行い、受信電界強度の低下によって静止画を表示する際にも画面に着色（例えば、濃い色を静止画に重ねる）を行うようにしているので、ユーザは受信電界強度の低下によってディスプレイ１５に表示する画像が変化していることを認識でき、しかも受信電界強度に応じて画面が段階的に変化するので、受信電界強度の推移（受信電界強度が悪化傾向にあるか否か）を予測することができるばかりでなく、受信電界強度の低下による静止画と実際に静止画を受信した場合とを区別することができることになる。
【００３３】
上述の実施の形態では、車速を高速及び低速の２種類としたが、例えば、低速、中速、高速の３種類とするようにして各速度に対応付けて電界強度閾値設定を行うようにしてもよく、いずれにしても車速を複数に区分して電界強度判定を行うようにすることが望ましいが、車速を考慮することなく、電界強度判定を行うようにしてもよい（つまり、車速に拘らず１つの電界強度閾値設定を行って、電界強度判定を行うようにしてもよい）。
【００３４】
さらに、電界強度判定は、”超強”、”強”、”中”、及び”弱”の４判定としたが、少なくとも３つの判定にするようにして、これら判定に応じて画面を変化させるようにすれば、ユーザは容易に受信電界強度の変化を認識することができることになる。また、静止画を表示する際には、音声はミュートすることが望ましい。そして、上述の例では、画面の変化として、受信電界強度が”超強”以外の場合において、出力画像（動画又は静止画）に色を重ねるか又は単色画面とするようにしたが、画面の一部に文字等を表示して受信電界強度を認識させるようにしてもよい。
【００３５】
また、メモリ１４には電界強度判定が”超強”である際のデジタル映像信号のみを格納するようにすれば、受信電界強度が低下した際には常に良好な静止画像を表示することができる。なお、上述の例では、ＡＧＣ制御電圧によって受信電界強度を検出するようにしたが、ＴＶ放送波を直接受信して受信電界強度を検出するようにしてもよい。
【００３６】
なお、上述の説明から明らかなように、移動体に搭載され、ＭＰＥＧデコーダ部１３及びＣＰＵ１７が集合的に画面変化手段及び単色画面表示手段として機能し、車速センサ１８及び車速判定回路１９が速度検知手段として機能する。また、ＣＰＵ１７が電界強度判定手段として機能することになる。また、上述の実施の形態１では、地上デジタルテレビ放送を例に挙げて説明したが、地上アナログテレビ放送等においても同様なＴＶ受信装置を用いることができる。
【００３７】
以上のように、この実施の形態１によれば、受信電界強度が第１の電界強度閾値未満である際受信電界強度に応じてディスプレイ１５に表示する画像を動画とするか静止画とするかを決定した後、動画又は静止画に予め定められた色を重ね合わせてディスプレイ１５上の画面を変化させるようにしたので、動画又は静止画が表示された際においても画面に色重ねがあると受信電界強度が弱くなっていると認識でき、しかも動画から静止画に変化したか静止画から動画に変化したかによって受信電界強度の変化の推移を認識できることになる。
【００３８】
この実施の形態１によれば、受信電界強度が第３の電界強度閾値を越えている場合にのみ、つまり、ディスプレイ１５に動画を表示する（色が重ねあわされているか否かに拘らない）際にのみ、映像信号をメモリ１４に一時的に保存して、ディスプレイ１５に静止画を表示する際にはメモリ１４に記憶された映像信号に応じた静止画をディスプレイ１５に表示するようにしたので、良好な状態で静止画を表示できるという効果がある。
【００３９】
この実施の形態１によれば、受信電界強度が第２の電界強度閾値以下であるとディスプレイ１５の画面を単色画面とするようにしたので、画面を見れば容易に受信電界強度の推移を認識できるという効果がある。
【００４０】
この実施の形態１によれば、車両の走行速度に応じて第１〜第３の電界強度閾値を変更するようにしたので、走行速度が高速になった際には、低速時に比べて十分な受信電界強度が得られるまで、ディスプレイ１５に動画が表示されない結果、ブロックノイズが多発する動画がディスプレイ１５に表示されず、不快感を与えることがないという効果がある。
【図面の簡単な説明】
【００４１】
【図１】この発明の実施の形態１によるテレビ受信装置の一例を示すブロック図である。
【図２】図１に示すテレビ受信装置の動作を説明するためのフローチャートである。
【図３】図１に示すＣＰＵに設定された車速判定−閾値設定テーブルの一例を示す図である。
【図４】図１に示すＣＰＵに設定された電界強度判定−映像出力制御テーブルの一例を示す図である。
【図５】低速用閾値設定を行った際の電界強度判定を説明するための図であり、（ａ）及び（ｂ）ともにＡＧＣ制御電圧、受信電界強度、及び電界強度判定との関係を示す図である。
【図６】高速用閾値設定を行った際の電界強度判定を説明するための図であり、（ａ）及び（ｂ）ともにＡＧＣ制御電圧、受信電界強度、及び電界強度判定との関係を示す図である。
【符号の説明】
【００４２】
１０  ＴＶ受信装置、１１  テレビチューナ、１２  直交周波数分割多重（ＯＦＤＭ）デコーダ部、１３  ＭＰＥＧデコーダ部、１４  メモリ、１５  ディスプレイ、１６  電界強度検出回路、１７  中央演算処理装置（ＣＰＵ）、１７ａ  メモリ部、１８  車速度センサ、１９  車速判定回路、２０  アンテナ。
【図１】
2007074227.tif 000003
【図２】
2007074227.tif 000004
【図３】
2007074227.tif 000005
【図４】
2007074227.tif 000006
【図５】
2007074227.tif 000007
【図６】
2007074227.tif 000008